【手続補正書】
【提出日】平成22年9月14日(2010.9.14)
【手続補正１】
【補正対象書類名】特許請求の範囲
【補正対象項目名】全文
【補正方法】変更
【補正の内容】
【特許請求の範囲】
【請求項１】
フォーカスレンズを含む撮影光学系を介して受光した被写体像を画像データに変換する撮影部と、前記フォーカスレンズの焦点距離を調節する焦点調節部とを備える撮影装置であって、
前記撮影部から順次供給される任意のコマ画像である第１のコマ画像から、人物の顔領域を検出する顔検出部と、
前記顔検出部が前記第１のコマ画像から検出した顔領域の位置およびサイズに基づいて、前記撮影部から前記第１のコマ画像以降に供給される第２のコマ画像における縮小された顔領域の検出範囲およびサイズを前記顔検出部に設定する顔検出設定部と、
前記顔検出部が前記第２のコマ画像から検出した顔領域の位置およびサイズに基づいて、前記撮影部から前記第２のコマ画像以降に供給される第３のコマ画像における合焦評価値の算出領域を設定する合焦領域設定部と、
前記合焦領域設定部の設定した前記第３のコマ画像の合焦評価値の算出領域における画像データに基づいて合焦評価値を算出する算出部と、
を備え、
前記焦点調節部は、前記算出部の算出した合焦評価値に基づいて、前記フォーカスレンズの焦点距離を調節する撮影装置。
【請求項２】
フォーカスレンズを含む撮影光学系を介して受光した被写体像を画像データに変換する撮影部と、前記フォーカスレンズの焦点距離を調節する焦点調節部とを備える撮影装置であって、
前記撮影部から順次供給されるコマ画像を一時的に格納する一時的格納部と、
前記一時的格納部に格納された任意のコマ画像である第１のコマ画像から、人物の顔領域を検出する顔検出部と、
前記顔検出部が前記第１のコマ画像から検出した顔領域の位置およびサイズに基づいて、前記一時的格納部に前記第１のコマ画像以降に格納される第２のコマ画像における縮小された顔領域の検出範囲およびサイズを前記顔検出部に設定する顔検出設定部と、
前記顔検出部が前記第２のコマ画像から検出した顔領域の位置およびサイズに基づいて、前記第２のコマ画像における合焦評価値の算出領域を設定する合焦領域設定部と、
前記合焦領域設定部の設定した前記第２のコマ画像の合焦評価値の算出領域における画像データに基づいて合焦評価値を算出する算出部と、
を備え、
前記焦点調節部は、前記算出部の算出した合焦評価値に基づいて、前記フォーカスレンズの焦点距離を調節する撮影装置。
【請求項３】
フォーカスレンズを含む撮影光学系を介して受光した被写体像を画像データに変換する撮影部と、前記フォーカスレンズの焦点距離を調節する焦点調節部とを備える撮影装置であって、
前記撮影部から順次供給されるコマ画像を一時的に格納する一時的格納部と、
顔検出を行うコマ画像の供給元として前記一時的格納部または前記撮影部を選択する顔検出コマ画像供給元選択部と、
前記コマ画像供給元選択部の選択したコマ画像の供給元から供給される第１のコマ画像から、人物の顔領域を検出する顔検出部と、
前記顔検出部が前記第１のコマ画像から検出した顔領域の位置に基づいて、前記第１のコマ画像以降に供給される第２のコマ画像における縮小された顔領域の検出範囲およびサイズを設定する顔検出設定部と、
合焦評価値算出領域を設定するコマ画像の供給元として前記一時的格納部または前記撮影部を選択する合焦コマ画像供給元選択部と、
前記顔検出部が前記第１のコマ画像から検出した顔領域の位置およびサイズと前記第２のコマ画像から検出した顔領域の位置およびサイズとを比較することで、顔領域の位置およびサイズの変動が所定の閾値未満であるか否かを判断し、前記変動が所定の閾値未満であると判断した場合は前記顔検出コマ画像供給元選択部および前記合焦コマ画像供給元選択部に前記撮影部を選択させ、前記変動が所定の閾値以上であると判断した場合は前記顔検出コマ画像供給元選択部および前記合焦コマ画像供給元選択部に前記一時的格納部を選択させる制御部と、
前記顔検出部が前記第２のコマ画像から検出した顔領域の位置およびサイズに基づいて、前記合焦コマ画像供給元選択部の選択したコマ画像の供給元から供給された第３のコマ画像における合焦評価値の算出領域を設定する合焦領域設定部と、
前記合焦領域設定部の設定した前記第３のコマ画像の合焦評価値の算出領域における画像データに基づいて合焦評価値を算出する算出部と、
を備え、
前記焦点調節部は、前記算出部の算出した合焦評価値に基づいて、前記フォーカスレンズの焦点距離を調節する撮影装置。
【請求項４】
フォーカスレンズを含む撮影光学系を介して受光した被写体像を画像データに変換する撮影部を備える撮影装置で用いられる合焦方法であって、
前記撮影部から順次供給される任意のコマ画像である第１のコマ画像から、人物の顔領域を検出するステップと、
前記第１のコマ画像から検出した顔領域の位置およびサイズに基づいて、前記撮影部から前記第１のコマ画像以降に供給される第２のコマ画像における縮小された顔領域の検出範囲およびサイズを設定するステップと、
前記第２のコマ画像から検出した顔領域の位置およびサイズに基づいて、前記撮影部から前記第２のコマ画像以降に供給される第３のコマ画像における合焦評価値の算出領域を設定するステップと、
設定した前記第３のコマ画像の合焦評価値の算出領域における画像データに基づいて合焦評価値を算出するステップと、
前記算出部の算出した合焦評価値に基づいて、前記フォーカスレンズの焦点距離を調節するステップと、
を含む合焦方法。
【請求項５】
フォーカスレンズを含む撮影光学系を介して受光した被写体像を画像データに変換する撮影部を備える撮影装置で用いられる合焦方法であって、
前記撮影部から順次供給されるコマ画像を一時的に格納するステップと、
格納された任意のコマ画像である第１のコマ画像から、人物の顔領域を検出するステップと、
前記第１のコマ画像から検出した顔領域の位置およびサイズに基づいて、前記第１のコマ画像以降に格納される第２のコマ画像における縮小された顔領域の検出範囲およびサイズを設定するステップと、
前記第２のコマ画像から検出した顔領域の位置およびサイズに基づいて、前記第２のコマ画像における合焦評価値の算出領域を設定するステップと、
設定した前記第２のコマ画像の合焦評価値の算出領域における画像データに基づいて合焦評価値を算出するステップと、
算出した合焦評価値に基づいて、前記フォーカスレンズの焦点距離を調節するステップと、
を含む合焦方法。
【請求項６】
フォーカスレンズを含む撮影光学系を介して受光した被写体像を画像データに変換する撮影部を備える撮影装置で用いられる合焦方法であって、
前記撮影部から順次供給されるコマ画像を一時的格納媒体に格納するステップと、
顔検出を行うコマ画像の供給元として前記一時的格納媒体または前記撮影部を選択するステップと、
選択した顔検出を行うコマ画像の供給元から供給される第１のコマ画像から、人物の顔領域を検出するステップと、
前記第１のコマ画像から検出した顔領域の位置に基づいて、前記第１のコマ画像以降に供給される第２のコマ画像における縮小された顔領域の検出範囲およびサイズを設定するステップと、
合焦評価値算出領域を設定するコマ画像の供給元として前記一時的格納媒体または前記撮影部を選択する合焦コマ画像供給元選択部と、
前記第１のコマ画像から検出した顔領域の位置およびサイズと前記第２のコマ画像から検出した顔領域の位置およびサイズとを比較することで、顔領域の位置およびサイズの変動が所定の閾値未満であるか否かを判断し、前記変動が所定の閾値未満であると判断した場合は前記顔検出コマ画像供給元および前記合焦コマ画像供給元として前記撮影部を選択し、前記変動が所定の閾値以上であると判断した場合は前記顔検出コマ画像供給元および前記合焦コマ画像供給元として前記一時的格納媒体を選択するステップと、
前記第２のコマ画像から検出した顔領域の位置およびサイズに基づいて、選択された合焦コマ画像供給元から供給された第３のコマ画像における合焦評価値の算出領域を設定するステップと、
設定した前記第３のコマ画像の合焦評価値の算出領域における画像データに基づいて合焦評価値を算出するステップと、
算出した合焦評価値に基づいて、前記フォーカスレンズの焦点距離を調節するステップと、
を含む合焦方法。